(57)【要約】【課題】ＦＰＤを用いた放射線画像撮影システムにおいて、撮影した画像データをＦＰＤの特性を考慮した圧縮レートの高い圧縮を行うことが可能な放射線画像撮影システムを提供することを目的とする。【解決手段】撮像パネル６２の欠陥検出素子の位置情報を記憶する欠陥情報記憶部６６２と、欠陥情報記憶部６６２に記憶されている欠陥検出素子の位置情報に基づいて画像データを補間処理する補間処理部６０２と、補間処理部６０２が補間処理した画像データに圧縮処理を行い、圧縮画像データを作成する圧縮処理部６０１と、圧縮画像データを送信する送受信部と、を備えた放射線画像検出装置６と、放射線画像検出装置６から受信した圧縮画像データを伸張する伸張処理部を備えた制御装置７と、を有する放射線画像撮影システムとする。【選択図】図５
2009172078.tif 000002
【特許請求の範囲】
【請求項１】
照射された放射線量に応じたエネルギーを電荷量に変換して蓄積する複数の検出素子を２次元状に配置した撮像パネルと、
該撮像パネルの欠陥検出素子の位置情報を記憶する欠陥情報記憶部と、
前記検出素子に蓄積された電荷を読み出して電圧値に変換する信号読出回路と、
前記信号読出回路が読み取った電圧値をデジタル変換して画像データとするＡ／Ｄ変換部と、
前記欠陥情報記憶部に記憶されている欠陥検出素子の位置情報に基づいて画像データを補間処理する補間処理部と、
該補間処理部が補間処理した画像データに圧縮処理を行い、圧縮画像データを作成する圧縮処理部と、
圧縮画像データを送信する送受信部と、
を備えた放射線画像検出装置と、
前記放射線画像検出装置から受信した圧縮画像データを伸張処理する伸張処理部を備えた制御装置と、
を有することを特徴とする放射線画像撮影システム。
【請求項２】
前記補間処理部は、欠陥検出素子に隣接する検出素子の画像データを用いて補間処理を行うことを特徴とする請求項１に記載の放射線画像撮影システム。
【請求項３】
前記欠陥情報記憶部に記憶している欠陥検出素子の位置情報は、前記制御装置から受信した更新情報により更新可能なことを特徴とする請求項１又は２に記載の放射線画像撮影システム。
【請求項４】
前記制御装置は、前記放射線画像検出装置の欠陥検出素子の位置情報を記憶する記憶部と、該記憶部に記憶している欠陥検出素子の位置情報に基づいて伸張処理した画像データを、前記補間処理部とは異なる補間処理を行う第２補間処理部と、を備えることを特徴とする請求項１乃至３のいずれかに記載の放射線画像撮影システム。
【請求項５】
前記補間処理部は欠陥検出素子に対応する画素と前記信号読出回路の読み出し方向に沿った１次元方向に隣接する画素、の画素値に基づいた補間処理を行い、
前記第２補間処理部は欠陥検出素子に対応する画素と２次元方向に隣接する画素の画素値に基づいた補間処理を行うことを特徴とする請求項４に記載の放射線画像撮影システム。
【請求項６】
前記送受信部は、前記制御装置と無線通信することを特徴とする請求項１乃至５のいずれかに記載の放射線画像撮影システム。
【発明の詳細な説明】
【技術分野】
【０００１】
本発明は、被検体を透過した放射線を検出するＦＰＤ（Ｆｌａｔ  Ｐａｎｅｌ  Ｄｅｔｅｃｔｏｒ）を用いた放射線画像撮像システムに関し、特にＦＰＤが取得した画像データを圧縮して送受信する放射線画像撮影システムに関する。
【背景技術】
【０００２】
被検体に放射線を照射し、被検体を透過した放射線を検出して放射線画像を得る方法としては、近年、デジタル方式の放射線撮像装置が用いられている。このような放射線撮像装置としては、いわゆるＦＰＤがある。
【０００３】
ＦＰＤとは、基板上に複数の検出素子を２次元的に配列したものであり、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものである。
【０００４】
また、半導体製造技術の向上により小型、薄型化が図られており、更に、特許文献１においては、このような薄型ＦＰＤと無線通信可能な通信手段を有したＸ線撮像装置が開示されている。
【特許文献１】特開２００４−１８０９３１号公報
【発明の開示】
【発明が解決しようとする課題】
【０００５】
操作者がＦＰＤを用いて撮影した画像データを確認するためには、制御端末等に送信する必要がある。画像データはファイルサイズが大きいために非圧縮のままで送信すると送信時間がかかるという問題がある。特に通信手段として無線通信を用いたＦＰＤでは、その影響が大きく、連続する放射線撮影を迅速に行えないという問題となる。
【０００６】
送信する画像データのファイルサイズを小さくするためには画像データを圧縮することが有効であるが、ＦＰＤの画像特性を考慮せずに一般的な圧縮アルゴリズムを用いて画像データの圧縮を行った場合には、用いた圧縮アルゴリズムによっては十分な圧縮レートを得られないという問題と、圧縮伸張を行うのに必要な時間がながくなるということと、それに伴い消費電力が大きくなるという問題がある。
【０００７】
本発明は上記問題に鑑み、ＦＰＤを用いた放射線画像撮影システムにおいて、欠陥画素に対して補間処理を行った後に圧縮処理することにより撮影した画像データをＦＰＤの特性を考慮した圧縮レートの高い圧縮を行うことが可能な放射線画像撮影システムを提供することを目的とする。
【課題を解決するための手段】
【０００８】
上記の目的は、下記に記載する発明により達成される。
【０００９】
１．照射された放射線量に応じたエネルギーを電荷量に変換して蓄積する複数の検出素子を２次元状に配置した撮像パネルと、
該撮像パネルの欠陥検出素子の位置情報を記憶する欠陥情報記憶部と、
前記検出素子に蓄積された電荷を読み出して電圧値に変換する信号読出回路と、
前記信号読出回路が読み取った電圧値をデジタル変換して画像データとするＡ／Ｄ変換部と、
前記欠陥情報記憶部に記憶されている欠陥検出素子の位置情報に基づいて画像データを補間処理する補間処理部と、
該補間処理部が補間処理した画像データに圧縮処理を行い、圧縮画像データを作成する圧縮処理部と、
圧縮画像データを送信する送受信部と、
を備えた放射線画像検出装置と、
前記放射線画像検出装置から受信した圧縮画像データを伸張処理する伸張処理部を備えた制御装置と、
を有することを特徴とする放射線画像撮影システム。
【発明の効果】
【００１０】
本発明によれば、ＦＰＤを用いた放射線画像撮影システムにおいて、撮影した画像データの帯域を小さくすることができるので、圧縮レートの高い圧縮を行うことが可能な放射線画像撮影システムを提供することが可能となる。
【発明を実施するための最良の形態】
【００１１】
本発明を実施の形態に基づいて説明するが、本発明は該実施の形態に限られない。
【００１２】
本実施形態における放射線画像撮影システムについて図１乃至図＊に基づいて説明する。図１は、本実施形態における放射線画像撮影システム１の概略構成を示す図である。
【００１３】
放射線画像撮影システム１は、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６（以下、単にＦＰＤ６と称す）により生成された放射線画像データに画像処理を行うコンソール７とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００１４】
１００は撮影室である。撮影室１００には放射線照射装置３、撮影操作装置４、無線通信を行うアクセスポイント５、当該アクセスポイントと接続されているルータ９を備えている。
【００１５】
放射線照射装置３は、臥位撮影台１１に横たわっている被検体である患者１２に対して放射線を照射するようになっており、臥位撮影台１１の下方には、ＦＰＤ６を装着する検出装置装着口１１ａが設けられている。放射線照射装置３は、撮影操作装置４により制御されて所定の撮影条件で放射線撮影を行うようになっている。なお放射線照射装置３と検出装置装着口１１ａに装着したＦＰＤ６との撮影タイミングの同期は、両者間でアクセスポイント５を経由した無線通信により行うようにしてもよい。
【００１６】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｎ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００１７】
なお、図１の説明においては、無線アクセスポイント５を経由した無線通信により通信を行う例について説明したが、これに限られず、検出装置装着口１１ａにネットワークＮと接続する通信コネクタを設け、ＦＰＤ６を当該検出装置装着口１１ａに装着することにより、ネットワークＮと有線接続するようにしてもよい。
【００１８】
［コンソール７］
図２は、コンソール７の要部構成を示すブロック図である。同図に示すように、コンソール７は制御部７０、ＲＡＭ７５、ＲＯＭ７６、表示部７７、入力操作部７８、通信部７９、記憶部７４等を備えて構成されており、各部はバス７１により接続されている。そして当該コンソール７が本願発明における「制御装置」、制御部７０が「第２補間処理部」としてそれぞれ機能する。
【００１９】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７０から送られる表示信号の指示に従って、患者リスト、各種のメッセージや画像等、各種画面を表示するものである。
【００２０】
入力操作部７８は、例えば、キーボードやマウス等から構成されており、キーボードで押下操作されたキーの押下信号やマウスによる操作信号を入力信号として制御部７０に対して出力するものである。なお、入力操作部７８は、前記表示部７７の表示画面を覆う透明なシートパネルに、指又は専用のスタイラスペンで触れることにより入力される位置情報を入力信号として制御部７０に出力する、いわゆる、タッチパネルにより構成されていてもよい。
【００２１】
圧縮伸張部７２は、ＦＰＤ６から送信された圧縮画像データの伸張処理を行う「伸張処理部」として機能する。また記憶部７４には、伸張処理を行うための固定辞書が記憶されており、当該固定辞書を用いて圧縮伸張部７２では、伸張処理を行っている。
【００２２】
なお本実施形態においては固定辞書を用いたが、これに限られず、圧縮部６０１により圧縮処理毎に辞書を作成し、画像データと一緒に送信する可変辞書方式を用いてもよい。
【００２３】
また辞書の作成方法として、ハフマン符号化、ＬＺ７８、算術符号化を用いてもよい。ハフマン符号化とは各データを重みを持った葉と捉えハフマン木と呼ばれる発生頻度に応じて作成される木構造のデータ（圧縮辞書）を構築し、当該データを用いて圧縮対象データの圧縮及び、伸張を行う。このようにハフマン符号化は、発生頻度の高いデータに優先的に短いコードを割り当て、発生頻度の低いデータには比較的長いコードを割り当てることにより、全体としてデータの圧縮を行う可変長符号の一種である。また圧縮辞書の構築に当たっては画像データの種類による圧縮率のばらつきを抑えるため、単一の画像、単一種類の画像データから作成するのではなく、撮影される可能性のある複数の画像、複数種類の画像データから構築すること好ましい。
【００２４】
放射線画像撮影システムでは個々のＦＰＤ６に固有の識別ＩＤを付与している。記憶部７４には、（１）各々のＦＰＤ６の欠陥検出素子の位置情報と（２）各々のＦＰＤ６の複数の信号読出回路６７４（後述）それぞれに対応する固有の変換感度特性、が記憶されている。そして制御部７０では、当該欠陥検出素子の位置情報、変換感度特性を参照することにより伸張した画像データに対して、補間処理を行ったり、感度補正を行ったりする。
【００２５】
［ＦＰＤ６］
ＦＰＤ６は、放射線画像データ（以下、単に画像データという）を取得するものであり、カセッテにＦＰＤとも呼ばれる撮像パネルが収容されてなる可搬型のカセッテＦＰＤ装置である。撮像パネルには、照射された放射線量に応じたエネルギーを電荷量に変換して蓄積する複数の検出素子がマトリクス状に配置されている。
【００２６】
以下、図３、図４を用いて、ＦＰＤ６の構造について説明する。図３は、ＦＰＤ６の斜視図である。図３に示すように、ＦＰＤ６は、内部を保護する筐体６１を備えており、カセッテとして可搬可能に構成されている。
【００２７】
筐体６１の内部には、照射された放射線を電気信号に変換する撮像パネル６２が層を成して形成されている。この撮像パネル６２における放射線の照射面側には、入射された放射線の強度に応じて発光を行う発光層６４が設けられている。また撮像パネル全体の大きさは、例えば大角、半切、六切り等の撮影サイズに対応している。
【００２８】
発光層６４は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００２９】
この発光層の放射線が照射される側の面と反対側の面には、発光層から出力された電磁波（光）を電気エネルギーに変換して蓄積し、蓄積された電気エネルギーに基づく画像信号の出力を行う受光素子がマトリクス状に配列された撮像パネル６２が形成されている。なお、１つの受光素子から出力される信号が、放射線画像データを構成する最小単位となる１画素に相当する信号となる。
【００３０】
図３等に示すように、ＦＰＤ６は制御部６０、「圧縮処理部」として機能する圧縮部６０１、補間処理部６０２、送受信部６５、記憶部６６、電源部６３、接続端子６９などを備えている。
【００３１】
送受信部６５は、撮影室１００の内部に設置されている無線アクセスポイント５を経由することにより無線通信を行う。無線通信方式は、ＩＥＥＥ８０２．１１規格に準拠した無線ＬＡＮ方式を用いるが、これに限られずＵＷＢ（ＵｌｔｒａＷｉｄｅＢａｎｄ）、Ｂｌｕｔｏｏｔｈ等の他の電波方式あるいは、赤外線通信等の光学方式のものを用いてもよい。
【００３２】
記憶部６６は、不揮発性メモリやフラッシュメモリなどの書き換え可能なＲＡＭからなる画像記憶部６６１と、読み出し専用のＲＯＭからなる欠陥情報記憶部６６２とからなる。画像記憶部６６１では撮像パネル６２から出力された数枚〜数十枚程度の放射線画像データを記憶することが可能である。当該画像記憶部６６１は内蔵型のメモリでもよいし、メモリカード等の着脱可能なメモリでもよい。
【００３３】
検出素子６２０は撮像パネル６２全域においては数百万個あり、実際の製造工程においては、その全てを正常に機能させることは難しい。製造するＦＰＤ６においては数十から数百程度の機能しない欠陥の検出素子６２０（欠陥検出素子）が存在することになる。欠陥情報記憶部６６２には、検出素子６２０のうちこのように機能しない欠陥検出素子の撮像パネル６２における位置情報が記憶されている。
【００３４】
なお本実施形態においては欠陥の検出素子６２０の位置情報の記憶及び更新は以下の手段により行っている。（１）製造工程において、このような欠陥検出素子の位置情報を把握し、その位置情報を欠陥情報記憶部６６２に記憶させておく。（２）所定のキャリブレーション作業により、ＦＰＤ６の撮像パネル６２全面に渡って均一のエネルギーによる画像データを取得する。コンソール７では取得した画像データでの画素毎の濃度異常を検出することにより、欠陥検出素子の位置情報を逐次把握し、その位置情報をＦＰＤ６の欠陥情報記憶部６６２に記憶させておく。つまりＦＰＤ６では、コンソール７から受信した欠陥検出素子の位置情報を更新情報により更新可能としている。
【００３５】
補間処理部６０２では、欠陥情報記憶部６６２に記憶されている欠陥検出素子の情報に基づいて、画像データに対して補間処理を行う。補間処理に関しての詳細は後述する。
【００３６】
電源部６３は、ＦＰＤ６を構成する複数の駆動部（制御部６０、撮像パネル６２、記憶部６６など）に電力を供給する。この電源部６３は、例えば予備電池と充電自在な充電池とで構成されている。
【００３７】
接続端子６９は、不図示のクレードル端子と接続するための端子であり、クレードル端子と接続することにより電源部６３への充電を行う。また送受信部６５を介してコンソール７と各種情報の送受信を行ったりする。
【００３８】
［撮像パネル６２］
ここで、撮像パネル６２の回路構成について説明する。図４は、検出素子を２次元状に配置した撮像パネル６２及びその周辺の回路構成を示す模式図である。
【００３９】
図４に示すとおり撮像パネル６２は光を電気信号に変換する複数の受光素子（以下検出素子と称す）６２０が２次元状に配置されており、１つの検出素子６２０は放射線画像の１画素に対応する。これらの画素は例えば２００〜４００ｄｐｉ（ｄｏｔｓ  ｐｅｒ  ｉｎｃｈ）の密度で、大角、半切、六切り等の被検体の撮影領域の大きさに渡って配置されている。
【００４０】
また、検出素子６２０間には走査線（横ライン）６２３と信号線（縦ライン）６２４とが配設されており、同図では両者が直交する様に格子状に配設されている。ここで、走査線６２３と信号線６２４とで囲まれた１つの区画を１画素とすると、撮像パネル６２の画素数は、例えば、一方向にｍ個、もう一方向にｎ個配置してなる場合にはｍ×ｎ個の画素数より構成されている。そして、撮像パネル６２には、ｍ×ｎ個の画素数分に対応するフォトダイオード６２１−（１，１）〜６２１−（ｍ，ｎ）とスイッチング素子であるトランジスタ６２２−（１，１）〜６２２−（ｍ，ｎ）が配置され、画素間には、走査線６２３−１〜６２３−ｍ及び信号線６２４−１〜６２４−ｎが直交する様に配設されることになる。
【００４１】
例えば、１つ目の検出素子内では、フォトダイオード６２１−（１，１）にシリコン積層構造あるいは有機半導体で構成されたスイッチング素子であるトランジスタ６２２−（１，１）が接続する。トランジスタ６２２−（１，１）は、例えば、電界効果トランジスタが使用される。トランジスタ６２２−（１，１）のドレイン電極あるいはソース電極が検出素子６２０−（１，１）に接続されるとともに、ゲート電極は走査線６２３−１と接続される。ドレイン電極が検出素子６２０−（１，１）と接続する場合はソース電極が信号線６２４−１と接続し、ソース電極が検出素子６２０−（１，１）に接続する場合はドレイン電極が信号線６２４−１と接続する。また、他の画素における検出素子６２０、フォトダイオード６２１及びトランジスタ６２２も同様に走査線６２３や信号線６２４と接続する。
【００４２】
また、撮像パネル６２は、図４に示す様に信号線６２４−１〜６２４−ｎにドレイン電極を接続した初期化トランジスタ６３２−１〜６３２−ｎを設けたものもあり、この初期化トランジスタ６３２−１〜６３２−ｎではソース電極を接地し、ゲート電極をリセット線６３１に接続する。
【００４３】
撮像パネル６２では、これらの回路を介して放射線画像をデジタルの画像信号に変換する。すなわち、図４において制御部６０が、走査線６２３−１〜６２３−ｍ各々に、走査駆動回路６０９を介して各々の検出素子６２０に対して読出信号ＲＳを供給して走査を行い、走査線毎の検出素子６２０に蓄積した電荷量に応じた電気信号を取り込み、受けた放射線をＡ／Ｄ変換器６７３によりデジタルの画像データに変換する。以下詳述する。
【００４４】
撮像パネル６２の走査線６２３−１〜６２３−ｍとリセット線６３１は、図４に示す様に走査駆動回路６０９と接続する。走査駆動回路６０９から走査線６２３−１〜６２３−ｍのうち、任意の走査線６２３−ｐ（ｐは１〜ｍのいずれかの値）に読出信号ＲＳが供給されると、この走査線６２３−ｐに接続したトランジスタ６２２−（ｐ，１）〜６２２−（ｐ，ｎ）がオンの状態になり、フォトダイオード６２１−（ｐ，１）〜６２１−（ｐ，ｎ）に蓄積した電荷を信号線６２４−１〜６２４−ｎ上に出力する。
【００４５】
［信号読出回路６７４］
信号読出回路６７４は、Ａ／Ｄ（アナログ／デジタル）変換器６７３とともに、信号選択回路６０８を構成する。そして信号読出回路６７４は、複数の信号変換器６７１−１〜６７１−ｎと、レジスタ６７２から構成される。
【００４６】
信号変換器６７１−１〜６７１−ｎ（以下、これらを総称して単に、信号変換器６７１ともいう）は信号線６２４−１〜６２４−ｎと接続する。
【００４７】
信号変換器６７１−１〜６７１−ｎでは信号線６２４−１〜６２４−ｎ上に出力された電荷量に応じた電圧信号ＳＶ−１〜ＳＶ−ｎを出力し、信号変換器６７１−１〜６７１−ｎで出力した電圧信号ＳＶ−１〜ＳＶ−ｎをレジスタ６７２（ＭＰＸ：マルチプレクサとも称される）に供給する。
【００４８】
レジスタ６７２は、信号変換器６７１より供給された電圧信号を順次選択し、選択された電圧信号は、Ａ／Ｄ変換器６７３により、１２ビット乃至１４ビットの１つのデジタル信号に変換される。制御部６０では当該デジタル信号に位置情報を付与して画素データとしたのち、当該画素データを統合して画像データを形成する。
【００４９】
また、撮像パネル６２の初期化を行う場合は、最初に、走査駆動回路６０９からリセット信号ＲＴがリセット線６３１に供給されて初期化トランジスタ６３２−１〜６３２−ｎをオンの状態にした後、走査線６２３−１〜６２３−ｍに読出信号ＲＳを供給してトランジスタ６２２−（１，１）〜６２２−（ｍ，ｎ）をオンの状態にする。そして、フォトダイオード６２１−（１，１）〜６２１−（ｍ，ｎ）に蓄えられていた電荷を初期化トランジスタ６３２−１〜６３２−ｎを介して放出することにより撮像パネル６２の初期化を行う。
【００５０】
［補間処理、圧縮処理］
図５は、実施形態に係る放射線画像撮影システムでの制御フローを説明する図である。ステップＳ１１では、放射線照射装置３から患者１２に向けて放射線を照射することにより撮影を開始する。
【００５１】
ステップＳ１１で照射された放射線量に応じたエネルギーを各検出素子６２０では電荷量として蓄積する。そしてステップＳ１２では、制御部６０が、走査駆動回路６０９及び信号選択回路６０８を制御することにより蓄積した電荷量を画像データとして取り込む。
【００５２】
ステップＳ１３では、欠陥情報記憶部６６２に記憶している欠陥検出素子の情報に基づいて、対応する位置の画像データに対して補間処理部６０２により補間処理を行う。ここで、補間処理の例について説明する。
【００５３】
図６（ａ）は、一つの信号変換器６７１における画像データのプロファイルを示したものである。横軸は、撮像パネル６２における対応する位置であり、縦軸は濃度データである。図６（ａ）に示す例においてはｄｐ１、ｄｐ２において欠陥検出素子の位置に対応して画素抜け（あるいは画素値異常）が発生している状態を表している。欠陥検出素子の位置における画像データは照射されたエネルギーに対する出力感度が正常ではなく、その信号量が信号範囲の最小から最大までの予測不能な値を示すために、画像データ全体としてはその帯域（濃度の上下限の幅）は図６（ａ）に示すように広がってしまうことになる。
【００５４】
図６（ｂ）は、図６（ａ）に対して補間処理を行った後の画像データのプロファイルを示したものである。当該補間処理は補間処理部６０２により行い、補間処理の例としては、隣接する画素の画素値（濃度値）で置き換えたり、平均濃度値等の所定の濃度値で置き換えたりしてもよい。
【００５５】
このように補間処理を行うことにより、画像データの帯域を小さくすることができ、ひいては、圧縮処理における圧縮レートを高くすることができる。
【００５６】
図５のステップＳ１４では、補間処理を行った画像データに対して圧縮部６０１により圧縮処理を行う。ステップＳ１５では、圧縮処理を行った圧縮画像データを送受信部６５によりコンソール７に送信する。
【００５７】
そしてコンソール７では、通信部７９で受信した圧縮画像データに対して、圧縮伸張部７２で伸張処理を行い画像データを復元（ステップＳ１６）する。
【００５８】
そしてステップＳ１７では、第２補間処理部として機能する制御部７０により記憶部７４に記憶している欠陥検出素子の位置情報に対応する画像データに対して、第１補間処理部とは異なる補間処理を行う。ここでいう異なる補間処理とは、例えば（第１の）補間処理部６０２では欠陥検出素子に読み出し方向（信号読出回路６７４の読み出し方向：図４及び図５の縦方向）で隣接する検出素子６２０の画素データの値による補間処理、つまり１次元方向に隣接する画素値に基づいて補間処理を行い。第２補間処理部として機能する制御部７０では、欠陥検出素子の周辺の画像データ値による補間処理、つまり２次元方向に隣接する画素値に基づいて補間処理を行うような場合である。このように第２補間処理部により処理することにより補間処理が良好に行える。
【００５９】
ステップＳ１８では、制御部７０が復元した画像データに対してオフセット、ゲイン補正を行った上で、表示部７７に当該画像データを表示させて終了する。
【００６０】
なお、第２補間処理部として機能する制御部７０は、欠陥情報記憶部６６２に記憶している欠陥検出素子の位置情報を記憶部７４に記憶（複写）させて、当該記憶部７４に記憶させている欠陥検出素子の位置情報に基づいて補間処理を行っているが、これに限られない。複写せずに欠陥情報記憶部６６２の欠陥検出素子の位置情報をステップＳ１５の送信時に併せて送信するようにして、当該送信された位置情報に基づいて補間処理を行いようにしてもよい。
【００６１】
このように、欠陥画素に対して補間処理を行った後に圧縮処理することにより、画像データに対して圧縮レートの高い圧縮を行うことが可能な放射線画像撮影システムを提供することが可能となる。
【図面の簡単な説明】
【００６２】
【図１】本実施形態における放射線画像撮影システム１の概略構成を示す図である。
【図２】コンソール７の要部構成を示すブロック図である。
【図３】ＦＰＤ６の斜視図である。
【図４】検出素子を２次元状に配置した撮像パネル６２及びその周辺の回路構成を示す模式図である。
【図５】実施形態に係る放射線画像撮影システムでの制御フローを説明する図である。
【図６】図６（ａ）は、一つの信号変換器６７１における画像データのプロファイルを示したものである。図６（ｂ）は、図６（ａ）に対して補間処理を行った後の画像データのプロファイルを示したものである。
【符号の説明】
【００６３】
６  ＦＰＤ
６２  撮像パネル
６０  制御部
６０１  圧縮部
６０８  信号選択回路
６０９  走査駆動回路
６２０  検出素子（受光素子）
６２３  走査線
６２４  信号線
６３２  初期化トランジスタ
６６  記憶部
６７２  レジスタ
６７３  Ａ／Ｄ変換器
６７４  信号読出回路
７  コンソール
７０  制御部
７２  圧縮伸張部
【図１】
2009172078.tif 000003
【図２】
2009172078.tif 000004
【図３】
2009172078.tif 000005
【図４】
2009172078.tif 000006
【図５】
2009172078.tif 000007
【図６】
2009172078.tif 000008